【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
物体側から像側へ順に配置された、第１レンズ群、開口絞り、正の屈折力の第２レンズ群より構成される光学系において、
前記第２レンズ群は、最も像側に配置された正の屈折力のレンズＬ２４と、前記レンズＬ２４の物体側に空気間隔を隔てて配置され、非球面形状のレンズ面を有するレンズＬ２３とを有しており、
前記レンズＬ２４の焦点距離をｆ２４、前記レンズＬ２４の材料の屈折率をｎ２４、前記レンズＬ２３の焦点距離をｆ２３、全系の焦点距離をｆとするとき、
０．６０＜ｆ２４／ｆ＜１．００
１．６０＜ｎ２４＜２．００
２．５＜｜ｆ２３／ｆ｜
なる条件式を満足することを特徴とする光学系。
【請求項２】
無限遠にフォーカスしているときのバックフォーカスをＢＦとするとき、
１．１０＜ＢＦ／ｆ＜２．００
なる条件式を満足することを特徴する請求項１に記載の光学系。
【請求項３】
前記光学系の最も物体側のレンズ面から最も像側のレンズ面までの光軸上の距離をＤとするとき、
０．５０＜Ｄ／ｆ＜１．５０
なる条件式を満足することを特徴する請求項１または２に記載の光学系。
【請求項４】
前記レンズＬ２４の材料のアッベ数をν２４とするとき、
３５＜ν２４
なる条件式を満足することを特徴する請求項１乃至３のいずれか１項に記載の光学系。
【請求項５】
前記レンズＬ２３はプラスチック材料よりなることを特徴とする請求項１乃至４のいずれか１項に記載の光学系。
【請求項６】
前記第２レンズ群は、物体側から像側へ順に配置された、負の屈折力のレンズＬ２１、正の屈折力のレンズＬ２２、前記レンズＬ２３、前記レンズＬ２４より構成されることを特徴とする請求項１乃至５のいずれか１項に記載の光学系。
【請求項７】
前記第１レンズ群は負の屈折力を有することを特徴とする請求項１乃至６のいずれか１項に記載の光学系。
【請求項８】
前記第１レンズ群は、物体側から像側へ順に配置された、物体側に凸面を向けた正レンズ、物体側に凸面を向けたメニスカス形状の負レンズ、負レンズと正レンズとを接合した接合レンズより構成され、前記第２レンズ群は、物体側から像側へ順に配置された、物体側に凹面を向けた負レンズ、像側に凸面を向けた正レンズ、非球面形状のレンズ面を含む正又は負の屈折力のレンズ、像側に凸面を向けた正レンズより構成されることを特徴とする請求項１乃至７のいずれか１項に記載の光学系。
【請求項９】
前記第１レンズ群は、物体側から像側へ順に配置された、物体側に凸面を向けた正レンズ、物体側に凸面を向けたメニスカス形状の負レンズ、正レンズと負レンズとを接合した接合レンズより構成され、前記第２レンズ群は、物体側から像側へ順に配置された、物体側に凹面を向けた負レンズ、像側に凸面を向けた正レンズ、非球面形状のレンズ面を含む正又は負の屈折力のレンズ、像側に凸面を向けた正レンズより構成されることを特徴とする請求項１乃至７のいずれか１項に記載の光学系。
【請求項１０】
光電変換素子に像を形成することを特徴とする請求項１乃至９のいずれか１項に記載の光学系。
【請求項１１】
請求項１乃至１０のいずれか１項に記載の光学系と、該光学系によって形成される像を受光する光電変換素子とを備えることを特徴とする撮像装置。
【手続補正２】
【補正対象書類名】明細書
【補正対象項目名】０００９
【補正方法】変更
【補正の内容】
【０００９】
本発明の光学系は、物体側から像側へ順に配置された、第１レンズ群、開口絞り、正の屈折力の第２レンズ群より構成される光学系において、
前記第２レンズ群は、最も像側に配置された正の屈折力のレンズＬ２４と、前記レンズＬ２４の物体側に空気間隔を隔てて配置され、非球面形状のレンズ面を有するレンズＬ２３とを有しており、
前記レンズＬ２４の焦点距離をｆ２４、前記レンズＬ２４の材料の屈折率をｎ２４、前記レンズＬ２３の焦点距離をｆ２３、全系の焦点距離をｆとするとき、
０．６０＜ｆ２４／ｆ＜１．００
１．６０＜ｎ２４＜２．００
２．５＜｜ｆ２３／ｆ｜
なる条件式を満足することを特徴としている。
【手続補正３】
【補正対象書類名】明細書
【補正対象項目名】００１２
【補正方法】変更
【補正の内容】
【００１２】
以下に、本発明の光学系及びそれを有する撮像装置について説明する。本発明の光学系は、物体側から像側へ順に配置された、第１レンズ群、開口絞り、正の屈折力の第２レンズ群から構成されている。第２レンズ群の最も像側に配置されたレンズは、正の屈折力のレンズＬ２４である。レンズＬ２４の物体側に配置されたレンズは、非球面形状のレンズ面を有するレンズＬ２３である。レンズＬ２３とレンズＬ２４とは、空気間隔をおいて配置されている。
【手続補正４】
【補正対象書類名】明細書
【補正対象項目名】００４６
【補正方法】変更
【補正の内容】
【００４６】
第１レンズ群Ｇ１は、物体側から像側へ順に配置された、正の屈折力のレンズ（正レンズ）Ｌ１１、負の屈折力のレンズ（負レンズ）Ｌ１２、負の屈折力のレンズ（負レンズ）Ｌ１３と正の屈折力のレンズ（正レンズ）Ｌ１４とが接合された全体として負の屈折力の接合レンズＬｐ１より構成されている。
【手続補正５】
【補正対象書類名】明細書
【補正対象項目名】００４７
【補正方法】変更
【補正の内容】
【００４７】
第２レンズ群Ｇ２は、物体側から像側へ順に配置された、負の屈折力のレンズＬ２１と正の屈折力のレンズＬ２２とが接合された全体として負の屈折力の接合レンズＬｐ２、正の屈折力のレンズＬ２３、正の屈折力のレンズＬ２４より構成されている。レンズＬ２３の焦点距離は３６９６．８１ｍｍであり、また、像側のレンズ面は非球面形状である。レンズＬ２３の材料はプラスチック材料である。レンズＬ２４の焦点距離は２１．２０ｍｍである。
【手続補正６】
【補正対象書類名】明細書
【補正対象項目名】００５２
【補正方法】変更
【補正の内容】
【００５２】
第１レンズ群Ｇ１は、物体側から像側へ順に配置された、正の屈折力のレンズＬ１１、負の屈折力のレンズＬ１２、正の屈折力のレンズＬ１３と負の屈折力のレンズＬ１４とが接合された全体として負の屈折力の接合レンズＬｐ１より構成されている。
【手続補正７】
【補正対象書類名】明細書
【補正対象項目名】００５３
【補正方法】変更
【補正の内容】
【００５３】
第２レンズ群Ｇ２は、物体側から像側へ順に配置された、負の屈折力のレンズＬ２１と、正の屈折力のレンズＬ２２とが接合された全体として負の屈折力の接合レンズＬｐ２、正の屈折力のレンズＬ２３、正の屈折力の第２４レンズＬ２４より構成されている。レンズＬ２３の焦点距離は２６１４．１０ｍｍであり、また、像側のレンズ面は非球面形状である。レンズＬ２３の材料はプラスチック材料である。レンズＬ２４の焦点距離は２３．０６ｍｍである。
【手続補正８】
【補正対象書類名】明細書
【補正対象項目名】００５８
【補正方法】変更
【補正の内容】
【００５８】
第１レンズ群Ｇ１は、物体側から像側へ順に配置された、正の屈折力のレンズＬ１１、負の屈折力のレンズＬ１２、負の屈折力のレンズＬ１３と正の屈折力のレンズＬ１４とが接合された全体として負の屈折力の接合レンズＬｐ１より構成されている。第２レンズ群Ｇ２は、物体側から像側へ順に配置された、負の屈折力のレンズＬ２１、正の屈折力の第２２レンズＬ２２、負の屈折力のレンズＬ２３と、焦点距離が２０．３１ｍｍの正の屈折力のレンズＬ２４より構成されている。レンズＬ２３の焦点距離は１６３９．８８ｍｍであり、また、物体側のレンズ面は非球面形状である。レンズＬ２３の材料はプラスチック材料である。
【手続補正９】
【補正対象書類名】明細書
【補正対象項目名】００６２
【補正方法】変更
【補正の内容】
【００６２】
尚、各実施例において更に好ましい各レンズ群のレンズ構成は次のとおりである。第１レンズ群Ｇ１は、物体側から像側へ順に配置された、物体側に凸面を向けた正の屈折力のレンズＬ１１、物体側に凸面を向けたメニスカス形状の負の屈折力のレンズＬ１２より構成されている。更に、負の屈折力のレンズＬ１３と正の屈折力のレンズＬ１４とを接合した接合レンズより構成されている。
【手続補正１０】
【補正対象書類名】明細書
【補正対象項目名】００６３
【補正方法】変更
【補正の内容】
【００６３】
第２レンズ群Ｇ２は、物体側から像側へ順に配置された、物体側に凹面を向けた負の屈折力のレンズＬ２１、像側に凸面を向けた正の屈折力のレンズＬ２２より構成されている。更に、非球面形状のレンズ面を含む正又は負の屈折力のレンズＬ２３、像側に凸面を向けた正の屈折力のレンズＬ２４より構成されることである。
【手続補正１１】
【補正対象書類名】明細書
【補正対象項目名】００６４
【補正方法】変更
【補正の内容】
【００６４】
この他、第１レンズ群Ｇ１は、物体側から像側へ順に配置された、物体側に凸面を向けた正の屈折力のレンズＬ１１、物体側に凸面を向けたメニスカス形状の負の屈折力のレンズＬ１２より構成されている。更に正の屈折力のレンズＬ１３と負の屈折力のレンズＬ１４とを接合した接合レンズより構成されている。第２レンズ群Ｇ２は、物体側から像側へ順に配置された、物体側に凹面を向けた負の屈折力のレンズＬ２１、像側に凸面を向けた正の屈折力のレンズＬ２２、非球面形状のレンズ面を含む正又は負の屈折力のレンズＬ２３より構成されている。更に像側に凸面を向けた正の屈折力のレンズＬ２４より構成されることである。